(57)【特許請求の範囲】
【請求項１】
額縁、ポスターフレーム、及びジグゾーパズルフレーム等の枠体を構成する複数の枠部材の各角部を連結する連結装置であって、前記各枠部材の端部をその軸方向と直交する方向へ回転可能に取り付ける基台と、この基台に設けた収装穴へ挿脱可能に設けられ前記基台へ取り付けられた前記各枠部材を内側へ閉じた状態でロックするロック手段と、前記枠体の各コーナー部を形成する角を滑らかにしたコーナー部材とから成り、前記ロック手段は、その矢印形の先端に設けたロック部で前記基台に設けた第１係合突片と係合した前記枠体の中仕切部を前側から押さえて固定させるロック部を有するものと成すと共に、前記コーナー部材はその両側に前記枠体の内側と当接係合する係止突片を有するものとし、前記基台に対し揺動可能に取り付けられていることを特徴とする、枠体の枠部材の連結装置。
【請求項２】
前記コーナー部材は、前記枠部材の端部との当接係合状態を解かれた際に、自動的に開かれるように構成したことを特徴とする、請求項１に記載の枠体の枠部材の連結装置。
【請求項３】
前記コーナー部材の前記係合突片と前記枠部材の端部の係合は、前記コーナー部材や枠部材の開成時において解離されないように構成されていることを特徴とする、請求項１乃至２のいずれかに記載の枠体の枠部材の連結装置。
【請求項４】
前記枠部材と前記基台との間には、該枠部材を所定の閉成位置で停止させる閉成停止手段を有し、この閉成停止手段は、前記基台より突設して該枠部材へ当接するストッパー片であることを特徴とする、請求項１に記載の枠体の枠部材の連結装置。
【請求項５】
前記枠部材と前記基台との間には、該枠部材を所定の開成位置で停止させる開成停止手段を有し、この開成停止手段は、前記枠部材の枢着凹部と、この枢着凹部を回動可能に取り付けるためのヒンジ軸部を前記基台へ形成するための延設部であることを特徴とする、請求項１に記載の枠体の枠部材の連結装置。
【請求項６】
前記ヒンジ軸部に回動可能に取り付けた枠部材を、該ヒンジ軸部より軸方向へ抜け出ないようにする手段が、該ヒンジ軸部と前記枠部材との間に設けられていることを特徴とする、請求項５に記載の枠体の枠部材の連結装置。
【請求項７】
前記基台に前記枠部材の端部を当接する当接部を設けたことを特徴とする、請求項１乃至請求項５のいずれかに記載の枠体の枠部材の連結装置。
【請求項８】
前記基台と前記コーナー部材との間には、該コーナー部材を所定の開成位置で停止させる開成停止手段が設けられ、この開成停止手段は、前記コーナー部材に取り付けた先端に係合部を有する係合舌片と、前記基台側に設けた前記係合舌片を案内して係止する係合案内部とで構成したことを特徴とする、請求項１乃至７のいずれかに記載の枠体の枠部材の連結装置。
【請求項９】
前記枠部材と前記基台との間には、該枠部材を所定の開成位置で停止させる開成停止手段を有し、この開成停止手段は、前記枠部材の中仕切部の先端に設けた係合部と、この係合部と係合すべく前記基台に設けた係止片とで構成したことを特徴とする、請求項１乃至８のいずれかに記載の枠体の枠部材の連結装置。
【発明の詳細な説明】
【技術分野】
【０００１】
この発明は、絵や写真の額縁、ポスターを取り付けるポスターフレーム、及び完成したジグゾーパズルを展示するジグゾーパズルフレーム等の枠体を構成する枠部材の連結装置に関する。
【背景技術】
【０００２】
近年、四辺形状或は三角形状を呈した固定枠体の後方より展示物を透明板、押え板と共に挿入し、押え板を該固定枠体の枠部材の裏側に取り付けた係止片で抜け出ないように固定する額縁やポスターフレーム等の枠体に代えて、枠体を構成する枠部材を連結装置で開閉可能に連結し、枠体の正面から展示物を着脱できるようにしたものが多く出回っている。
【０００３】
この種の構成のものとして、例えば次の特許文献に記載されたものが公知である。
【０００４】
【特許文献１】特開平９−１６４０４８号公開特許公報
【特許文献２】特開平１０−２９５５０９号公開特許公報
【発明の開示】
【発明が解決しようとする課題】
【０００５】
これらのうち、特許文献１のものは、枠部材の端部を４５°に切断して互いを突き合わせることによって、コーナー部を形成するものであるが、コーナー部が鋭角になる結果、枠体を手で持った際に、この鋭いコーナー部で手を傷付け易いという問題がある上に、コーナー部材への枠部材の組み付け作業に時間を要するという問題があった。
【０００６】
そのため、特許文献２に示したものが提案された。この特許文献２のものは、連結装置を構成する基台に角部を滑らかにしたキャップ付きのコーナー部材が設けられ、展示物のセット及び交換時には、キャップを外すことによって、枠体の前面側から展示物のセット或は交換ができるように構成されたものであったが、複数個あるコーナー部材のキャップをいちいち外さなくてはならず煩雑であるという問題がある上に、コーナー部材への枠部材の組み付け作業に時間を要するという問題があった。
【０００７】
この発明の目的は、コーナー部材に工夫を凝らすことにより、該コーナー部材への枠部材の組み付け及び枠体に対する展示物のセット及び交換をより簡単にした、枠体の枠部材の連結装置を提供せんとするにある。
【課題を解決するための手段】
【０００８】
上述した目的を達成するためにこの発明は、額縁、ポスターフレーム、及びジグゾーパズルフレーム等の枠体を構成する複数の枠部材の各角部を連結する連結装置であって、前記各枠部材の端部をその軸方向と直交する方向へ回転可能に取り付ける基台と、この基台に設けた収装穴へ挿脱可能に設けられ前記基台へ取り付けられた前記各枠部材を内側へ閉じた状態でロックするロック手段と、前記枠体の各コーナー部を形成する角を滑らかにしたコーナー部材とから成り、前記ロック手段は、その矢印形の先端に設けたロック部で前記基台に設けた第１係合突片と係合した前記枠体の中仕切部を前側から押さえて固定させるロック部を有するものと成すと共に、前記コーナー部材はその両側に前記枠体の内側と当接係合する係止突片を有するものとし、前記基台に対し揺動可能に取り付けられていることを特徴とする。
【０００９】
その際にこの発明は、前記コーナー部材を、前記枠部材の端部との当接係合状態を解かれた際に、自動的に開かれるように構成することができる。
【００１０】
この発明はまた、前記コーナー部材の前記係合突片と前記枠部材の端部の係合は、前記コーナー部材や枠部材の開成時において解離されないように構成することができる。
【００１１】
この発明はさらに、前記枠部材と前記基台との間に、該枠部材を所定の閉成位置で停止させる閉成停止手段を有し、この閉成停止手段は、前記基台より突設して該枠部材へ当接するストッパー片とすることができる。
【００１２】
この発明はさらに、前記枠部材と前記基台との間に、該枠部材を所定の開成位置で停止させる開成停止手段を有し、この開成停止手段は、前記枠部材の枢着凹部を回動可能に取り付けるためのヒンジ軸部を前記基台へ形成するための延設部であることを特徴とする。
【００１３】
この発明はさらに、前記ヒンジ軸部に回動可能に取り付けた枠部材を、該ヒンジ軸部より軸方向へ抜け出ないようにする手段が、該ヒンジ軸部と前記枠部材との間に設けられていることを特徴とする。
【００１４】
この発明はさらに、前記基台に前記枠部材の端部を当接する当接部を設けたことを特徴とする。
【００１５】
この発明はさらに、前記基台と前記コーナー部材との間に、該コーナー部材を所定の開成位置で停止させる開成停止手段が設けられ、この開成停止手段は、前記コーナー部材に取り付けた先端に係合部を有する係合舌片と、前記基台側に設けた前記係合舌片を案内して係止する係合案内部とで構成したことを特徴とする。
【００１６】
この発明はさらに、前記枠部材と前記基台との間に、該枠部材を所定の開成位置で停止させる開成停止手段を有し、この開成停止手段は、前記枠部材の中仕切部の先端に設けた係合部と、この係合部と係合すべく前記基台に設けた係止片とで構成したことを特徴とする。
【発明の効果】
【００１７】
この発明は以上のように構成したので、次のような効果を奏し得る。
【００１８】
請求項１のように構成すると、コーナー部材を角を取った独立の部材としたことから、枠体の取り扱い時に、鋭利な枠部材の端部で手を切ったりすることがなくて安全である上に、コーナー部材が枠部材の展開操作と共に開成可能となるので、展示物のセット及び交換作業が容易となるという効果を奏し得る。
【００１９】
請求項２と３のように構成すると、コーナー部材に手を触れなくとも枠部材の開閉動作と共に自動的に開閉させるので、便利性がより一層向上するという効果を奏し得る。
【００２０】
請求項４と５のように構成すると、簡単な構成で開閉される枠部材の開成位置、閉成位置が定まるという効果を奏し得る。
【００２１】
請求項６のように構成すると、簡単な構成で連結装置へ開閉可能に連結した枠部材が軸方向へ抜け出てしまい分解してしまうのを防止することができるという効果を奏し得る。
【００２２】
請求項７のように構成すると、基台へ取り付ける枠部材の取付位置が当接部によって定まり、枠部材のコーナー部材に対する組み付け作業が容易となる上に、枠体を正確な矩形状に形成できるという効果を奏し得る。
【００２３】
請求項８のように構成すると、コーナー部材の開成位置が定まることから、基台に組み付ける枠部材の組み付け作業が容易になるという効果を奏し得る。
【００２４】
請求項９のように構成すると、各枠部材をコーナー部材に対して長手方向へ摺動させなくとも組付けができることから、コーナー部材に対する枠部材の組み付け作業が容易となるという効果を奏し得る。
【発明を実施するための最良の形態】
【００２５】
以下にこの発明の一実施の形態を図面に基づいて詳細に説明する。
【実施例１】
【００２６】
図１は枠体全体の斜視図を示し、図面によれば、指示記号１は、額縁、ポスターフレーム、及びジグゾーパズルフレーム等の枠体であり、この枠体１は、各々長さの等しい長短一対ずつの枠部材２，２・３，３の各端部を、４個の連結装置Ａ，Ａ…を介して連結することにより、平面矩形状に構成されている。尚、枠体１の平面形状は、矩形状に限らず、四角形状、三角形状等の他の多角形状のものが考えられる。
【００２７】
この枠部材２或は３は、好ましくはアルミ製のもので、とくに図６乃至図８に示されているように、基材部４と、この基材部４の下部に設けられた枢着凹部５と、基材部４の上部に内側に湾曲させて設けられた展示物係止部６と、この展示物係止部６と枢着凹部５との間に位置して基材部４より内側下方へ湾曲させて設けた中仕切部７とから成り、この中仕切部７には第１係合凸部８が設けられると共に、その端部近くに係合切欠９が設けられ、さらに枢着凹部５の端部に位置して、後述するヒンジ軸部に設けた切欠と係合する第２係合凸部１０（図８に図示）が小さく設けられている。
【００２８】
連結装置Ａは、実施の形態のものは、とくに図６に想像線で示したように、展示物１１の角部を押え板１２ａと透明板１２ｂごと載置させる基台１３と、とくに図５に示したように、この基台１３の両側の直交方向に設けた一対のヒンジ軸部１４０４と、このヒンジ軸部１４０４に近接して設けられたところの、とくに図７に示したように、枠部材２，２・３，３を閉じた時に中仕切部７，７に設けた第１係合凸部８，８と係合する先端に凸部１５ａ，１５ａを設けた第１係合突片１５，１５と、同じくヒンジ軸部１４０４に近接して第１係合突片１５，１５を設けた側に設けられた、枠部材２，２・３，３を閉じた時に中仕切部７，７に設けた係合切欠９，９と係合して枠部材２，２・３，３の長手方向の移動を防止する第２係止突片１６，１６と、枠部材２，２・３，３を閉じた際に、とくに図７と図８に示したように、基材部４の内側に当接するストッパー片１７，１７と、基台１３の先端に揺動可能に取り付けたコーナー部材１８と、基台１３の内部に設けた収装穴１９へ摺動可能に収装させたプレート状のロック手段２０とで構成されている。しかし、後述するようにこのものに限定されない。
【００２９】
コーナー部材１８は、その両側つまり平面から見て左右に各枠部材２，２・３，３の端部と係合する複数の係止突片１８ａ，１８ａ…を有し、その下部に設けた係合凹部１８ｂを、とくに図９と図１０に示したように、基台１３に設けた係合軸部１３ｂへと係合させることにより、前後方向へ揺動可能である。したがって、図４に示したように、枠部材２と３が開かれ、係止突片１８ａ，１８ａ…に対する枠部材２と３の各端部による係止を解かれると、自重で開き、枠部材２と３を閉じると、該枠部材２と３の各端部によって共に閉じられる構成となっている。しかし、後述するようにこのものに限定されない。
【００３０】
尚、コーナー部材１８は、実施の形態のものにおいて、とくに図９と図１０に示したように、係合凹部１８ｂの設置位置を工夫して前方向へ持ってくることにより、重心が後方に位置するようにすることによって、枠部材２と３による係止突片１８ａ，１８ａに対する係合を解かれると、自動的に開くように工夫されているが、このものに限定されない。手動で閉じるようにしても良いし、別に板バネ、スプリング等の弾性手段を用いるようにしても良い。
【００３１】
ロック手段２０は、実施の形態のものは、とくに図２と図５及び図９と図１０に示したように、下面一側に一対の第１係止凸部２０ａと第２係止凸部２０ｂを設けた平面略矢印形状を呈したプレート状のもので、基台１３に設けた収装穴１９に形成された係合部１９ａへ、各第１及び第２係止凸部２０ａ，２０ｂを交互に係止させることにより、収装穴１９への前進時のロック位置と、収装穴１９からの後退時の解離位置を保つ構成となっている。
【００３２】
とくに図９に示したように、ロック手段２０の前進時に矢印形先端に設けたロック部２０ｃ，２０ｃと、枠部材２と３の第１係合凸部８の上面側とを係合させることにより、枠部材２と３の開放を阻止し、図１０に示したように、ロック手段２０の後退時には、ロック部２０ｃ，２０ｃと第１係合凸部８の上側との間の係合状態を解離して、枠部材２と３の開放を許容するものである。
【００３３】
尚、このプレート状のロック手段２０の構成は、実施の形態のもののように前後に摺動するものに限定されるものではなく、回転式で各枠部材２，２・３，３の各中仕切部７の一部をその他の個所で係止する構成のものに変えても良い。
【００３４】
したがって、図４に示したように、各枠部材２，２・３，３とコーナー部材１８を外方向へ開いた状態で、とくに図６に示したように、展示物１１を押し板１２ａと透明板１２ｂと共に、各連結装置Ａの基台１３のストッパー片１７上に載置して、各枠部材２，２・３，３を内側へ回わすと、各枠部材２，２・３，３は各連結装置Ａの基台１３に対する連結位置、つまり各枢着凹部５を係合させている各ヒンジ軸部１４を支点に回動して内側へ閉じられ、各中仕切部７の先端に設けた各第１係合凸部８が各基台１３に立設した各第１係合突片１５の凸部１５ａと係合する。尚、この凸部１５ａは実施の形態のものとは逆方向に設けても良い。そして、さらに主として各第１係止突片１５が有する弾力によって内側へ閉じようとするがこの時、各ストッパー片１７が、とくに図８に示したように、枠部材２，２・３，３の各基材部４の内側に当接することにより停止する。つまり、ストッパー片１７は閉成停止手段を構成する。尚、この閉成停止手段は、ストッパー片１７によらず、中仕切部７の一部が基台１３の一部に当接するようにしたり、枢着凹部５の上縁側が基台１３の一部に当接するようにしても良く、その構成に限定はない。
【００３５】
さらに、図６に示した実施の形態では、展示物１１等をストッパー片１７上へ載置しているが、このストッパー片１７を他の手段に代えた時には、基台１３上へ載置するようにしても良い。
【００３６】
このようにして、枠部材２，２・３，３は閉成状態を保つ。この時、その係合突片１８ａを枠部材２，２，・３，３，の端部に係止させている各コーナー部材１８も、各枠部材２，２・３，３の閉成動作と共に回転して内側へ閉じられる。このようにして、展示物１１は枠体１へ装着される。
【００３７】
そして、枠部材２，２・３，３，を内側へ閉じた際には、とくに図２と図３に示したように、各枠部材２，２・３，３に設けた各係合切欠９と基台１３に設けた各第２係合突片１６，１６が係合することにより、各枠部材２，２・３，３の軸方向の移動は阻止されるので、枠体１を展示用の壁等に吊り下げた際に展示物１１や押え板１２ａ、及び透明板１２ｂ等の重量で、枠体１が変形したり、分離してしまうことがない。
【００３８】
次いで、図９に示したように、第１待機位置にある各ロック手段２０を押してその先端に設けた各ロック部２０ｃ，２０ｃを各枠部材２，２・３，３の各中仕切部７の先端に設けた各第１係合凸部８の上側と係合させると、その第１係止凸部２０ａが収装穴１９の係合部１９ａへ係止されることにより、その移動が阻止され、枠部材２，２・３，３は内側へ閉じた状態で外方向へ開かないようにロックされる。
【００３９】
この状態から展示物１１を交換したりする際には、まず、各ロック手段２０の収装穴１９からの露出側端部を上下方向へ押して各第１係止凸部２０ａと各収装穴１９に設けた係合部１９ａとの間の係合を外した後、その露出側端部を持って内側へ引張ると、各ロック部２０ｃ，２０ｃと各枠部材２，２・３，３の中仕切部７に設けた各第１係合凸部８の上側に対する係合が外れ、同時に第２係止凸部２０ｂと係合部１９ａとが係合する。そこで、各枠部材２，２・３，３の各展示物係止部６の部分に指を掛けた外方向へ回動させると、各中仕切部７に設けた第１係合凸部８と各基台１３側に設けた各第１係合突片１５との間の係合が外れて、各枠部材２，２・３，３は外方向へ開かれる。同時に各枠部材２，２・３，３の各端部との係止を解かれた各コーナー部材１８は、自重で外方向へ開かれる。尚、この各コーナー部材１８を指で外方向へ押して開くようにしても良いことは前述した。
【００４０】
開かれた各枠部材２，２・３，３は、図６に示したように、各基材部４の枢着凹部５の一方の開放端縁５ａが、ヒンジ軸部１４ａを設けた延設部１３ａへ当接することによって、所定の開成角度、実施の形態のものでは約４５°の開成角度で停止させられる。
【００４１】
したがって、枢着凹部５の開放端縁５ａと延設部１３ａとで開成停止手段を構成するが、このものに限定されず、その他の構成のストッパー手段に代えても良い。
【００４２】
同時に自重で開かれた各コーナー部材１８も、その係止突片１８ａが開かれた各枠部材２，２・３，３の各端部に係止されることにより、所定の開成角度で停止する第１ストッパー手段２１を構成している。尚、ここのところは、図９と図１０に示したように、係合凹部１８ｂの開放端に設けた当接部１８ｃが、近接部１３ａへ当接することによってさらに第２ストッパー手段２２を構成するように構成しても良い。
【００４３】
次いで、展示物１１を交換して、上述したようにして、各枠部材２，２・３，３を内側へ回転させると、該展示物１１は枠体１へセットされ、展示物１１のセット及び交換が行えることになる。
【実施例２】
【００４４】
図１１乃至図１５は、他の実施例を示す。図面によれば、この実施例に係る基台２５は、先の実施例１で示したストッパー部材１７，１７を省略してある。先の実施例で示したこのストッパー部材１７，１７を省略しても、とくに図１５に示したように、ヒンジ軸部２６に枢着させた枢着凹部２７の開放部２７ａの上部側２７ｂが、とくに図１５に示したように、ヒンジ軸部２６を設ける基台２５からの延設部２５ａに上側から当接することによって、閉じた長短の枠部材２８，２９を正しい位置で停止させることが可能である。
【００４５】
さらに、この実施例２のものは、とくに図１５に示したように、第１係合突片３０が中仕切部３１の自由端側の係合部３１ａの外側に位置するように設けられており、この第１係合突片３０に中仕切部３１の係合部３１ａを係止するために設けられた凸部３０ａは、中仕切部３１側へ突出している。
【００４６】
さらに、この実施例２のものは、基台２５に取り付けた長短の枠部材２８，２９の各端部が、該基台２５上で直交する位置に当接部３２が設けられている。
【００４７】
このように構成すると、長短の枠部材２８，２９の基台２５に対する取付位置が定まり、コーナー部材３３との間に隙間が生じたり、該コーナー部材３３へ枠部材２８，２９の各端部が喰い込んだりしてしまったりして、枠体の正しい矩形の形成を阻害する恐れが極力少なくなるという利点を有する。
【００４８】
そして、コーナー部材３３は、望ましくは合成樹脂製とし、その角部に面取りを施し、滑らかにして手を傷めないように工夫されると共に、とくに図１４に示したように、その連結突片３４を、基台２５側に設けた連結溝部３５へ嵌入させ、その先端両側に設けた軸支孔３４ａ，３４ａを、該連結溝部３５に設けた凸部３５ａ，３５ａへ嵌入させることによって構成したヒンジ機構３６により、揺動可能に基台２５へ軸着されている。尚、このコーナー部材３３の開成状態を所定の開成角度で停止させるストッパー手段３７は、連結突片３４の一部と、この連結突片３４の一部を当接させるところの連結溝部３５に設けた当接部３５ｂとで構成してある。その他の部材は形状が相違するのみで実施例１のものと同じである。尚、支持記号３８のものはロック手段である。
【実施例３】
【００４９】
図１６乃至図１８は、この発明に係る連結装置のさらに他の実施例を示す。この実施例３のものは、同じく好ましくは合成樹脂製とし、その角部の面取りを施して滑らかにしたコーナー部材３９を、基台４０へ連結するヒンジ機構４１と第１ストッパー手段４２は、充分に図示してないが、実施例２のものと同じである。コーナー部材３９の開成停止手段４３は、該コーナー部材３９より突設され、その自由端側に係合部４４ａを設けてなる係合舌片４４と、この係合舌片４４の係合部４４ａを係止する突起部４５ａをその上部に設けて基台４０側に突設した係合案内部４５とで構成してある。
【００５０】
このように構成することによって、コーナー部材３９は、これを開く時、係合舌片４４の係合部４４ａと、係合案内部４５の突起部４５ａとが係合することによって、所定の開成位置で停止することになる。
【実施例４】
【００５１】
図１９乃至図２２は、この発明に係る連結装置のさらに他の実施例を示す。図面によれば、長短の枠部材４６，４７の構成は、その一方の枠部材４６についてのみ説明すると、先の各実施例１〜３のもののように、基材部４８と、この基材部４８の上端より曲設された展示物係止部４９と、この展示物係止部４９より下方に位置して基材部４８より該展示物係止部４９と同一方向へ延設させた中仕切部５０とを有することは、先の実施例１〜３のものと同じである。しかし、枢着凹部５１の断面形状は、先の実施例１のもののようなヒンジ軸部１４を包み込んで自然落下しないようになっていず、単に係止する浅い凹部となっている。
【００５２】
さらに、基台５２の枠部材４６を取り付ける部分は、延設部５２ａより円弧状の外周面を見せて立ち上げられた回動案内部５３と、この回動案内部５３の自由端より下方へ垂下させた側面部５４で構成され、側面部５４の下端部に前記枢着凹部５１と係合する係合端５５が設けられている。
【００５３】
そして、とくに図２１と図２２に示したように、中仕切部５０の自由端側の外側には、基台５２側の延設部５２ａより立設した先端に凸部５６ａを有する第１係合突片５６と係合する第１係合突部５７が設けられると共に、この第１係合凸部５７の内側には、回動案内部５３の上端部に設けた係合部５３ａと係合する係合突部５７ａが設けられている。
【００５４】
したがって、この実施例４に係る枠部材４６，４７は、枢着凹部５１が基台５２の側面部５４の係合端５５と係合し、かつ、中仕切部５０が回動案内部５３と係合することによって、自然落下することなく基台５２に取り付けられ、枠部材４６，４７の閉成状態においては、枢着凹部５１と係合端５５が係合し、かつ、中仕切部５０の第１係合突部５７が第１係合突片５６と係合している。
【００５５】
この閉成状態は、ロック手段５８のロック部５８ａが第１係合突片５６を押えていることにより、枠部材４６，４７の開成方向に向けての力に対し、揺動して逃げないので、安定した状態を保っている。
【００５６】
この閉成状態から枠部材４６，４７を開こうとする場合には、ロック手段５８を後退させた後、該枠部材４６，４７に対し外方向へ力を加えると、枠部材４６，４７の枢着凹部５１は基台５２の係合端５５と係合した状態で、第１係合突片５６と第１係合部５７との係合が外れて中仕切部５０が回動案内部５３に案内して開かれ、その係合部５０ａが係合突部５７ａと係合することによって、停止させられる。このようにして枠部材４６，４７の閉成は可能となる。
【００５７】
枠部材４６，４７を再び閉じると、該枠部材４６，４７は係合端５５を支点に閉じられ、第１係合突部５７が第１係合突片５６の凸部５６ａと係合することにより閉成状態となり、ロック手段５８を押すことにより、そのロック部５８ａ，５８ａが第１係合突片５６，５６に当接して閉成状態をロックする。指示記号５９のものは、枠部材４６と４７の係合切欠６０と係合して、枠部材４６と４７の軸方向の移動を基台５２に対し組み立てたときに、軸方向の移動を阻止するストッパーである。
【００５８】
尚、このロック手段５８のロック部５８ａ，５８ａが中仕切部５０の第１係合突部５７と係合するように構成しても良い。
【実施例５】
【００５９】
図２３乃至図２４は、この発明に係る枠体の枠部材の連結装置の開成停止手段のさらに他の実施例を示す。図面によれば、この実施例に係る枠体の枠部材６０，６１の開成停止手段６２は、該枠部材６０，６１の中仕切部６３，６４の先端の外側に設けた係合部６３ａ，６４ａと、基台６５が枠部材６０，６１と対向する側の上端より突設した、下側へ係合突部６６ａ，６６ａを設けた係止片６６，６６とで構成されている。尚、指示記号６７で示されたものはコーナー部材であり、指示記号６８で示されたものは、ロック手段である。
【００６０】
したがって、枠体に対する図示してない展示物の装着、交換時に、基台６５に対して枠部材６０，６１を開いた場合には、とくに図２４に示したように、各枠部材６０，６１（一方のみ表示）の中仕切部６３，６４（一方のみ表示）の係合部６３ａ，６４ａ（一方のみ表示）が、係止片６６，６６（一方のみ表示）の係合突部６６ａ，６６ａ（一方のみ表示）と係合して、所定の開成角度で開成停止させられるものである。尚、各枠部材６０，６１を閉じた際の係止手段は、先の実施例のものと同じである。また、係止片６６，６６を設ける他の手段としては、基台６５の上面にプレートを取り付ける構成とし、このプレートの縁部に係止片を設けるようにしても良い。
【産業上の利用可能性】
【００６１】
角を滑らかにしたコーナー部材を枠部材とは別に設け、コーナー部材への枠部材の組み付け作業を容易にし、しかもコーナー部材を枠部材と共に開閉可能に構成したので、枠部材の端部が角部を構成する従来公知のものよりも手を傷める恐れがなく、かつ展示物の枠体への着脱も容易となることから、利便性が高まり、さまざまな展示物の展示用に適用できる。
【図面の簡単な説明】
【００６２】
【図１】この発明に係る枠部材の連結装置を用いた枠体の斜視図である。
【図２】枠部材の連結装置の部分の拡大平面図である。
【図３】図２の斜視図である。
【図４】図３に示した状態から枠部材を外方向へ開いて見た状態の斜視図である。
【図５】この発明に係る枠部材の連結装置の分解斜視図である。
【図６】図２のＡ−Ａ線断面図である。
【図７】図２のＢ−Ｂ線断面図である。
【図８】図２のＣ−Ｃ線断面図である。
【図９】図２のＤ−Ｄ線方向から見たロック部材のロック解除前の縦断面図である。
【図１０】図９に対応しロック部材のロック解除後の縦断面図である。
【図１１】この発明に係る枠部材の連結装置の他の実施例を示す平面図である。
【図１２】図１１に示した状態から基台に対し枠部材を開いて見た平面図である。
【図１３】図１１に示した枠部材の連結装置の分解斜視図である。
【図１４】図１１に示した枠部材の連結装置の底面図である。
【図１５】図１１のＥ−Ｅ線拡大断面図である。
【図１６】この発明に係る枠部材の連結装置のさらに他の実施例を示す展開斜視図である。
【図１７】図１６のＦ−Ｆ線拡大断面図である。
【図１８】図１６に示した枠部材の連結装置のコーナー部材の動作を説明する説明図である。
【図１９】この発明に係る枠部材の連結装置のさらに他の実施例を示す展開斜視図である。
【図２０】図１９に示した枠部材の連結装置の分解斜視図である。
【図２１】図１９に示した枠部材の連結装置の動作を説明する説明図である。
【図２２】同じく図１９に示した枠部材の連結装置の動作を説明する説明図である。
【図２３】この発明に係る枠部材の連結装置のさらに他の実施例を示す分解斜視図である。
【図２４】図２３に示した枠部材の連結装置の動作を説明する説明図である。
【符号の説明】
【００６３】
Ａ  連結装置
１  枠体
２  枠部材（長）
３  枠部材（短）
５  枢着凹部
６  展示物係止部
７  中仕切部
１１  展示物
１３  基台
１３ａ  延設部
１４  ヒンジ軸部
１７  ストッパー片（閉成停止手段）
１８  コーナー部材
２０  ロック手段
２５  基台
２６  ヒンジ軸部
２７  枢着軸部
２８，２９  枠部材
３１  中仕切部
３３  コーナー部材
３６  ヒンジ機構
３７  ストッパー手段
３９  コーナー部材
４０  基台
４１  ヒンジ機構
４４  係合舌片
４５  係合案内部
４６，４７  枠部材
５０  中仕切部
５２  基台
６０，６１  枠部材
６２  開成停止手段
６３，６４  中仕切部
６５  基台
６６  係止片
６６a  係合突部
【図１】
0004669667.tif 000002
【図２】
0004669667.tif 000003
【図３】
0004669667.tif 000004
【図４】
0004669667.tif 000005
【図５】
0004669667.tif 000006
【図６】
0004669667.tif 000007
【図７】
0004669667.tif 000008
【図８】
0004669667.tif 000009
【図９】
0004669667.tif 000010
【図１０】
0004669667.tif 000011
【図１１】
0004669667.tif 000012
【図１２】
0004669667.tif 000013
【図１３】
0004669667.tif 000014
【図１４】
0004669667.tif 000015
【図１５】
0004669667.tif 000016
【図１６】
0004669667.tif 000017
【図１７】
0004669667.tif 000018
【図１８】
0004669667.tif 000019
【図１９】
0004669667.tif 000020
【図２０】
0004669667.tif 000021
【図２１】
0004669667.tif 000022
【図２２】
0004669667.tif 000023
【図２３】
0004669667.tif 000024
【図２４】
0004669667.tif 000025